(57)【要約】【課題】  風力による軽重差で選別することなくサトウキビ茎周囲からハカマを確実に剥離でき、風力選別機等の複雑な選別装置を別途設けることなく、サトウキビ精脱システム全体として安価に提供することができるサトウキビ精脱システム及びトラッシュ除去用トロンメルを提供する。【解決手段】  所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、この梢頭部選別区間から選別された梢頭部を裁断して家畜飼料とする家畜飼料製造部と、前記梢頭部選別区間で梢頭部を除去したサトウキビ茎を袋詰めする袋詰部とからなる。【選択図】図１
2010004864.tif 000002
【特許請求の範囲】
【請求項１】
所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、この梢頭部選別区間から選別された梢頭部を裁断して家畜飼料とする家畜飼料製造部と、前記梢頭部選別区間で梢頭部を除去したサトウキビの健全茎を袋詰めする袋詰部とからなる精脱システム
【請求項２】
トラッシュ除去用トロンメルが内面平滑な樹脂材料で形成され、前記トロンメルにトラッシュの排出方向へ送風する送風機を設け、該トロンメルをサトウキビ茎の排出方向へ３．２〜８．０度の角度で低くなるよう傾斜状に設けると共に、内面にサトウキビの排出配列方向に平行なブレードを設け、このブレードのサトウキビ接触辺にサトウキビハカマを剥取する波型刃を形成したサトウキビのトラッシュ除去用トロンメル。
【請求項３】
前記ブレードの立上幅が５〜８０ｍｍであり、波型刃先端が湾曲形状をなし、波型刃のピッチが５〜５０ｍｍであり、波型刃の深さが３〜１５ｍｍである前記請求項２記載のサトウキビのトラッシュ除去用トロンメル。
【発明の詳細な説明】
【発明の詳細な説明】
【技術分野】
【０００１】  本発明は、サトウキビ茎周囲からハカマを確実に剥離でき、風力選別機等の複雑な選別装置を別途設けることなく、サトウキビ精脱システム全体として安価に提供することができるサトウキビ精脱システム及びトラッシュ除去用トロンメルに関するものである。
【背景技術】
【０００２】  例えば、特許文献１及び２には、所定長さに裁断された裁断済みサトウキビを貯留するホッパ２と、トロンメル（回転筒）４と、風力選別機８とを備え、ホッパ２に貯留された裁断済みサトウキビをトロンメル４に供給し、このトロンメル４において裁断済み砂糖きび中の土砂等のトラッシュを除去すると共に、裁断済みサトウキビの茎からハカマを剥離し、この剥離ハカマを含む裁断済みサトウキビを風力選別機８に供給し、この風力選別機８において少なくとも裁断済みサトウキビの茎とこれよりも軽量のトラッシュとに選別するように構成したトラッシュ除去システムが記載されている。【０００３】  そして、この発明においては、大石・根槐除去装置による大石および根の除去工程と、続く回転式トロンメル装置による土砂類の除去およびハカマの剥離工程と、風力選別機８による健全茎の選別工程とで構成されている旨説明されている。【０００４】  また前記回転式トロンメル装置は傾斜状に軸支されたトロンメル（スクリーン面が円筒形、角筒形、円錐台形、または角錐形をなすスクリーン）を備え、これを回転させることにより、被分離物をトロンメル内が周方向および軸方向低所側へ移動させつつふるい分けられる旨説明されている。【０００５】  さらに、前記風力選別機は送風ノズル９ａから離間する方向（重いものから軽いもの）順に健全茎のための第１シュート８ｄ、梢頭部等のための第２シュート８ｅ、および枯れ枝等のための第３シュート８ｆが設けられている旨説明されている。【０００６】  しかしながら、この発明においては、回転式トロンメル装置４による土砂類の除去およびハカマの剥離工程の他に、大石・根槐除去装置２による大石および根の除去工程及び風力選別機８による健全茎の選別工程が別途必要であり、且つこれらの大石・根槐除去装置及び風力選別機８の構造が極めて複雑である。【０００７】  また、前記回転式トロンメル装置はスクリーン面が円筒形、角筒形、円錐台形、または角錐形をなすスクリーンを備えたトロンメルを回転させることにより、被分離物をトロンメル内で周方向および軸方向低所側へ移動させつつふるい分けられるようにしているため、スクリーン面ではサトウキビ茎周囲のハカマを充分剥離できないと共に、トラッシュである石や繊維がスクリーンの目に詰まる等の欠点がある。【０００８】  さらに、前記風力選別機は送風ノズル９ａから離間する方向（重いものから軽いもの）順に健全茎のための第１シュート８ｄ、梢頭部等のための第２シュート８ｅ、および枯葉等のための第３シュート８ｆが設けられているため、このような風力による選別は軽重差によるため、例えば梢頭部が第１シュート８ｄに混入したり、枯葉等が第２シュート８ｅに混入したりする不具合が生じる。【０００９】  また、特許文献３には、基端側を支点にして左右旋回と上下回動が可能に車体に支持されたアームに、その先端側から基端側に梢頭部を搬送する搬送手段を配置し、前記アームの先端側に、梢頭部の下端を切断するカッターを設けると共に該カッターより前方に逆八の字状に開いたかき集め手段を配置し、車体には、前記基端側に移送されて来た梢頭部を、細断装置側に取り込む取り込み手段を設けたサトウキビ梢頭部の収穫装置及び��穫方法が記載されている。【００１０】  そして、分蜜糖や黒砂糖の原料となるサトウキビの梢頭部を収穫する装置及び方法であって、サトウキビの梢頭部のみを収穫可能とすることで、牛馬などの飼料を大量に確保可能とし、しかも梢頭部が砂糖の原料となる茎部に混入するのを抑制する旨説明されている。【００１１】  さらに、特許文献４には、あらかじめ略一定長さに切断されたサトウキビ切断片を略整列させて搬送する搬送手段と、同搬送手段により搬送されてくるサトウキビ切断片の内、梢頭部だけを他のサトウキビ切断片である健全茎部から選別する選別手段とを装備し、選別手段は一対の挟持体を具備し、両挟持体は梢頭部を挟持可能であるが健全茎部は挟持不可能な挟み角を形成する挟み角形成開始位置と、梢頭部の挟持が解除される開放角形成開始位置とを有して、開放角形成開始位置にて開放される梢頭部の放出落下位置と、開放角形成開始位置に至る前に放出される健全茎部の放出落下位置とを離隔させることができるようにしたサトウキビの梢頭部選別装置が記載されている。【００１２】  そして、この梢頭部選別装置において、梢頭部と健全茎部とを略１００％の精度で選別することができる旨説明されている。【００１３】  しかしながら、これらの装置は梢頭部選別のために別途装置を必要とし構造が極めて複雑であり、サトウキビ精脱システム全体として安価に提供することができない。【００１４】  特許文献１  特許第３５９１７５７号公報
特許文献２  特開２００２−０２８０００号公報
特許文献３  特開平１１−２２０９２７号公報
特許文献４  特開２００１−３００４２８号公報
【発明が解決しようとする課題】
【００１５】  本発明は、風力による軽重差で選別することなくサトウキビ茎周囲からハカマを確実に剥離でき、風力選別機等の複雑な選別装置を別途設けることなく、サトウキビ精脱システム全体として構成が極めて簡単で安価に提供することができるサトウキビ精脱システム及びトラッシュ除去用トロンメルを提供することにある。
【課題を解決する手段】
【００１６】  請求項１の発明は、所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、この梢頭部選別区間から選別された梢頭部を裁断して家畜飼料とする家畜飼料製造部と、前記梢頭部選別区間で梢頭部を除去したサトウキビの健全茎を袋詰めする袋詰部とからなる精脱システムを提供するものである。
【００１７】  この発明においては、風力による軽重差で選別することなくサトウキビ茎周囲からハカマをトロンメルによって剥離し、風力選別機等の複雑な選別装置を別途設けることなく、また梢頭部選別のために別途複雑な選別装置を必要とせず、サトウキビ精脱システム全体として安価に提供することができるサトウキビ精脱システムを提供することができる。
【００１８】  請求項２の発明は、トラッシュ除去用トロンメルが内面平滑な樹脂材料で形成され、前記トロンメルにトラッシュの排出方向へ送風する送風機を設け、該トロンメルをサトウキビ茎の排出方向へ３．２〜８．０度の角度で低くなるよう傾斜状に設けると共に、内面にサトウキビの排出配列方向に平行なブレードを設け、このブレードのサトウキビ接触辺にサトウキビハカマを剥取する波型刃を形成したサトウキビのトラッシュ除去用トロンメルを提供するものである。
【００１９】    この発明においては、サトウキビ茎周囲のハカマを確実に剥離できると共に、トラッシュである石や繊維がトロンメルに目に詰まりを生じることなく、ハカマや石等のトラッシュを略完全に除去することができるトラッシュ除去用トロンメルを提供することができる。前記トロンメルの排出方向への傾斜角度が３．２度未満であるとサトウキビ茎を迅速に排出方向へ移行することができず、８．０度を超えると排出方向への移行速度が速すぎハカマを充分剥離することができない。
【００２０】  請求項３の発明は、前記ブレードの立上幅が５〜８０ｍｍであり、波型刃先端が湾曲形状をなし、波型刃のピッチが５〜５０ｍｍで、波型刃の深さが３〜１５ｍｍである前記請求項２記載のトラッシュ除去用トロンメルを提供するものである。
【００２１】    この発明においては、サトウキビ茎周囲のハカマを確実に剥離できると共に、サトウキビの健全茎の両端部を傷つけないトラッシュ除去用トロンメルを提供することができる。前記立上幅が５ｍｍ未満であるとサトウキビ茎のハカマを確実に剥離することができず、８０ｍｍを超えるとサトウキビ茎のひっかかり幅が大きすぎ逆にサトウキビ茎のハカマを確実に剥離することができないと共に、健全茎の周面や切断両端面に傷が付きやすくなり、サトウキビ茎の短期腐敗を招く。また、波型刃のピッチが５〜５０ｍｍの範囲外、波型刃の深さが３〜１５ｍｍの範囲外では、サトウキビ茎のハカマを確実に剥離することができない。
【発明を実施するための最良の形態】
【００２２】  以下に本発明の一実施形態を図面に基づき説明する。図１はサトウキビ精脱システムの概略全体平面図であり、図２は図１のＩ−Ｉ線視図、図３は図１のＩＩ−ＩＩ線視図、図４は図１のＩＩＩ−ＩＩＩ線視図である。【００２３】  ハーベスターにより所定長さに裁断されたサトウキビ茎Ａ１（図５）はホッパー１に貯留される。このサトウキビ茎Ａ１はホッパー１より送り装置２を介してサトウキビのトラッシュを除去するトロンメル３に間欠的に順次供給される。このトロンメル３において、サトウキビの健全茎Ａ２とトウキビ茎Ａ１の周囲に付着するハカマＢ（図６）等のトラッシュを除去する。【００２４】  トロンメル３は、図７に示すように筒状態の回転体であり、内面平滑な樹脂材料、例えば、塩化ビニールであり、前記トロンメル３にトラッシュの排出方向（矢印Ｘ）へ送風する送風機４を設け、該トロンメルをサトウキビ茎の排出方向へ約４．５度の角度Ｙで低くなるよう傾斜状に設けている。この角度Ｙは３．２〜８．０度の範囲で低くなるよう傾斜状に設けることができる。好ましくは４．０〜６．０度の範囲である。上記内面平滑な樹脂材料、例えば、塩化ビニールとした理由は、サトウキビ茎の両端切断部Ａ４、Ａ４（図６）がつぶれないようにしたもので、サトウキビ茎の両端切断部Ａ４、Ａ４が金属面等との接触（トロンメルの回転によりサトウキビ茎Ａ１が上方から下方に落下したときに生ずる）によりつぶれてその部分からの腐敗の進行が極めて速くなる。【００２５】  図８に示す如く、このトロンメル３の内周面にはサトウキビ茎Ａ１の排出配列方向に平行なブレード５・・・を設け、このブレード５・・・のサトウキビ接触辺にサトウキビハカマＢを剥取する波型刃Ｍを形成している。【００２６】  前記ブレード５・・・の立上幅Ｌは５〜８０ｍｍで、波型刃Ｍ先端が湾曲形状Ｎをなし、波型刃ＭのピッチＯが５〜５０ｍｍで、波型刃Ｍの深さＰが３〜１５ｍｍである。好ましくは、前記立上幅Ｌは１５〜５０ｍｍで、波型刃Ｍ先端はサトウキビ茎の節の湾曲Ａ３（図６）に近いか、それより小さい湾曲形状Ｎとなしており、波型刃ＭのピッチＯは１０〜２０ｍｍで、波型刃Ｍの深さＰが５〜１０ｍｍである。また、ブレード５・・・は、トロンメルの回転によりサトウキビ茎Ａ１が上方から下方に落下したときに生ずる金属面（ブレード）との接触を防止するため回転方向に４列以上形成しない方が好ましい。【００２７】  トロンメル３で除去されたハカマＢ等のトラッシュは第１送風機４及び第２送風機７（図２）の風力によりトラッシュ排出場６へ排出される。一方トラッシュが除去されたサトウキビの健全茎Ａ２・・・と梢頭部Ｃ（図９）は送り装置８を介して梢頭部選別区間９（コンベア）に送られる。【００２８】  梢頭部選別区間９では、サトウキビの健全茎Ａ２・・・を最終送り装置１０へ送る一方、梢頭部Ｃを人手により選別して梢頭部送り装置１１へ供給する。この梢頭部選別区間から選別された梢頭部Ｃは梢頭部送り装置１１を介して家畜飼料製造部１２へ送られ、そこで梢頭部Ｃの裁断等を行い家畜の飼料を製造する。これにより、このシステムと一体的に梢頭部Ｃの飼料化、食品化が可能となる。製造された家畜飼料はトラック１３の荷台に積���れ搬送される。【００２９】  一方、サトウキビの健全茎Ａ２・・・は最終送り装置１０を介して袋詰部１４へ送られ、そこで袋詰されてクレーン（図示せず）によりトラックの荷台に積み込まれる。２つの袋詰枠体１４、１４は内部に袋１６、１６設け、例えば、図１に示すように、底部にレール１５、１５を設けて移動可能に形成し、交互に袋詰めできるようにしている。
【発明の効果】
【００３０】  この発明においては、風力による軽重差で選別することなくサトウキビ茎周囲からハカマを確実に剥離でき、風力選別機等の複雑な選別装置を別途設けることなく、また梢頭部選別のために別途複雑な選別装置を必要とせず、サトウキビ精脱システム全体として安価に提供することができる。
【００３１】    また、トラッシュ除去用トロンメルにより、サトウキビ茎周囲のハカマを確実に剥離できると共に、トラッシュである石や繊維がトロンメルに目に詰まりを生じることなく、ハカマや石等のトラッシュを略完全に除去することができる。
【００３２】  また、トロンメルを内面平滑な樹脂製（塩化ビニール）としたので、サトウキビの健全茎の両端切断部をつぶすことなく、そこからの腐敗の進行を抑制することができる。
【００３３】  さらに、本発明はサトウキビ茎からトラッシュを除去するに加え、梢頭部を裁断して家畜飼料を製造する家畜飼料製造部を設けたので、一貫して簡略なサトウキビの精脱システムを提供することができる。
【図面の簡単な説明】
【００３４】
【図１】  サトウキビ精脱システム全体の概略説明図
【図２】  図１のＩ−Ｉ線視図
【図３】  図１のＩＩ−ＩＩ線視図
【図４】  図１のＩＩＩ−ＩＩＩ線視図
【図５】  ハカマの付着した状態を示すサトウキビ茎の写真
【図６】  ハカマを除去した状態を示すサトウキビ茎の写真
【図７】  トラッシュ除去用トロンメル一部断面説明図
【図８】  ブレード部分拡大図
【図９】  サトウキビ梢頭部の写真
【符号の説明】
１          ホッパー
３          トロンメル
４          送風機
５          ブレード
６          トラッシュ排出場６
９          梢頭部選別区間
１０          最終送り装置１０
１１          梢頭部送り装置
１２          家畜飼料製造部
１４          袋詰枠体
１５          袋詰枠体のレール
１６          袋
Ａ１          サトウキビ茎
Ａ２          サトウキビの健全茎
Ａ３          サトウキビ茎の節の湾曲
Ａ４          サトウキビ茎の両端切断部
Ｂ          ハカマ
Ｃ          梢頭部
Ｘ          トラッシュの排出方向
Ｙ          トロンメルのサトウキビ茎排出方向への角度
Ｌ          ブレードの立上幅
Ｍ          波型刃
Ｎ          波型刃先端の湾曲形状
Ｏ          波型刃のピッチ
Ｐ          波型刃の深さ
【図１】
2010004864.tif 000003
【図２】
2010004864.tif 000004
【図３】
2010004864.tif 000005
【図４】
2010004864.tif 000006
【図５】
2010004864.tif 000007
【図６】
2010004864.tif 000008
【図７】
2010004864.tif 000009
【図８】
2010004864.tif 000010
【図９】
2010004864.tif 000011